(57)【要約】  【課題】  利便性を向上することのできるＨＤＤレコーダー及び記録再生装置を提供する。  【解決手段】  使用者の入力により毎日連続して時間帯の同じ番組を予約録画する毎日録画を設定可能なＨＤＤレコーダー１において、毎日録画は、日毎の番組をそれぞれＨＤＤ６の新規領域に録画する新規モード（第１モード）と、前回録画した領域に番組を上書きする上書モード（第２モード）と、１週間分の番組を異なる領域に録画するとともに１週間以上前に録画した領域に番組を上書きする１週保存モード（第３モード）とを備え、使用者により各モードを選択できるようにした。【選択図】      図３
2006216119.tif 000002
【特許請求の範囲】
【請求項１】
使用者の入力により毎日連続して時間帯の同じ番組を予約録画する毎日録画を設定可能
なＨＤＤレコーダーにおいて、前記毎日録画は、日毎の番組をそれぞれ新規領域に録画す
る第１モードと、前回録画した領域に番組を上書きする第２モードと、１週間分の番組を
異なる領域に録画するとともに１週間以上前に録画した領域に番組を上書きする第３モー
ドとを備え、使用者により各モードを選択できることを特徴とするＨＤＤレコーダー。
【請求項２】
使用者の入力により定期的に時間帯の同じ番組を連続して予約録画する定期録画を設定
可能な記録再生装置において、前記定期録画は、定期毎の番組をそれぞれ新規領域に録画
する第１モードと、前回録画した領域に番組を上書きする第２モードと、一定期間の番組
を異なる領域に録画するとともに該一定期間以上前に録画した領域に番組を上書きする第
３モードとを備え、使用者により各モードを選択できることを特徴とする記録再生装置。
【請求項３】
前記定期録画は毎日連続して時間帯の同じ番組を予約録画するとともに、前記一定期間
が１週間であることを特徴とする請求項２に記載の記録再生装置。
【請求項４】
前記定期録画は毎日または毎週連続して時間帯の同じ番組を予約録画するとともに、前
記一定期間が１月であることを特徴とする請求項２に記載の記録再生装置。
【請求項５】
前記一定期間を使用者により設定可能にしたことを特徴とする請求項２に記載の記録再
生装置。
【発明の詳細な説明】
【技術分野】
【０００１】
本発明は、予約録画可能なＨＤＤレコーダー及び記録再生装置に関する。
【背景技術】
【０００２】
予約録画が可能な従来のＨＤＤレコーダーは特許文献１に開示されている。このＨＤＤ
レコーダーは定期的（例えば、毎日）に同じ時間帯の番組を予約録画することができる。
この時、以前にＨＤＤに録画した番組が再生済みの場合は上書きし、再生されていない場
合はＨＤＤの新しい領域に録画する。これにより、視聴していない番組の消去を防止する
ことができる。
【特許文献１】特開２００４−８８６３４号公報（第７頁−第９頁、第３図）
【発明の開示】
【発明が解決しようとする課題】
【０００３】
しかしながら、上記従来のＨＤＤレコーダーによると、複数の使用者が録画した番組を
視聴したい場合に１人が再生すると録画時に上書きされて以前の番組が消去される場合が
ある。これにより、他の使用者が視聴することができず、ＨＤＤレコーダーの利便性が悪
い問題があった。また、ＨＤＤに限らず他の記録媒体に録画する記録再生装置についても
同様の問題がある。
【０００４】
本発明は、利便性を向上することのできるＨＤＤレコーダー及び記録再生装置を提供す
ることを目的とする。
【課題を解決するための手段】
【０００５】
上記目的を達成するために本発明のＨＤＤレコーダーは、使用者の入力により毎日連続
して時間帯の同じ番組を予約録画する毎日録画を設定可能なＨＤＤレコーダーにおいて、
前記毎日録画は、日毎の番組をそれぞれ新規領域に録画する第１モードと、前回録画した
領域に番組を上書きする第２モードと、１週間分の番組を異なる領域に録画するとともに
１週間以上前に録画した領域に番組を上書きする第３モードとを備え、使用者により各モ
ードを選択できることを特徴としている。
【０００６】
この構成によると、録画予約する際に毎日時間帯の同じ番組を録画する毎日録画を設定
すると、第１、第２、第３モードを選択することができる。第１モードを選択すると、毎
日ＨＤＤの新規領域に録画される。第２モードを選択すると、前日以前に録画した領域に
上書きして録画される。第３モードを選択すると、最初の１週間は新規領域に番組が録画
され、その後、１週以上前の録画領域に上書きして録画される。これにより、常時１週間
分の番組がＨＤＤに溜められる。尚、毎日録画は日曜から土曜まで毎日連続して録画する
場合と、月曜から金曜まで毎日連続して録画する場合とが含まれる。
【０００７】
また本発明の記録再生装置は、使用者の入力により定期的に時間帯の同じ番組を連続し
て予約録画する定期録画を設定可能な記録再生装置において、前記定期録画は、定期毎の
番組をそれぞれ新規領域に録画する第１モードと、前回録画した領域に番組を上書きする
第２モードと、一定期間の番組を異なる領域に録画するとともに該一定期間以上前に録画
した領域に番組を上書きする第３モードとを備え、使用者により各モードを選択できるこ
とを特徴としている。
【０００８】
この構成によると、録画予約する際に定期的に時間帯の同じ番組を録画する定期録画を
設定すると、第１、第２、第３モードを選択することができる。第１モードを選択すると
、定期的に録画する毎に記録媒体の新規領域に録画される。第２モードを選択すると、前
回録画した領域に上書きして録画される。第３モードを選択すると、最初の一定期間は新
規領域に番組が録画され、その後、一定期間以上前の録画領域に上書きして録画される。
これにより、常時一定期間分の番組が記録媒体に溜められる。
【０００９】
また本発明は、上記構成の記録再生装置において、前記定期録画は毎日連続して時間帯
の同じ番組を予約録画するとともに、前記一定期間が１週間であることを特徴としている
。この構成によると、定期録画の設定により毎日時間帯の同じ番組が録画される。第３モ
ードを選択すると、最初の１週間は新規領域に番組が録画され、その後、１週以上前の録
画領域に上書きして録画される。これにより、常時１週間分の番組が記録媒体に溜められ
る。尚、毎日録画は日曜から土曜まで毎日連続して録画する場合と月曜から金曜まで毎日
連続して録画する場合とが含まれる。
【００１０】
また本発明は、上記構成の記録再生装置において、前記定期録画は毎日または毎週連続
して時間帯の同じ番組を予約録画するとともに、前記一定期間が１月であることを特徴と
している。この構成によると、定期録画の設定により毎日または毎週時間帯の同じ番組が
録画される。第３モードを選択すると、最初の１月間は新規領域に番組が録画され、その
後１月以上前の録画領域に上書きして録画される。これにより、常時１月分の番組が記録
媒体に溜められる。
【００１１】
また本発明は、上記構成の記録再生装置において、前記一定期間を使用者により設定可
能にしたことを特徴としている。
【発明の効果】
【００１２】
本発明によると、毎日録画や毎週録画を設定して予約録画する際に使用者の選択により
各番組を新規領域に保存できるので、視聴していない番組の消去を防止できる。また、使
用者の選択により１週や１月等の一定期間だけ番組を溜めておけるため、該期間内に視聴
することにより番組を誤って消去することを防止することができるとともに、記録媒体の
容量不足による録画ミスを防止することができる。加えて、複数の使用者が同じ番組を視
聴したい場合に１人が再生しても一定期間は上書きされない。従って、記録再生装置の利
便性を向上させることができる。
【００１３】
また本発明によると、番組を溜めておける期間を使用者に適した期間に設定できるので
記録再生装置の利便性をより向上させることができる。
【発明を実施するための最良の形態】
【００１４】
以下に本発明の実施形態を図面を参照して説明する。図１は一実施形態の記録再生装置
であるＨＤＤレコーダの構成を示すブロック図である。ＨＤＤレコーダ１は各部を制御す
るＣＰＵ２を有している。ＣＰＵ２には電源ユニット３、チューナ４、デコーダ５、ＨＤ
Ｄ６、ＭＰＥＧコーデック部７、フロントパネル８、赤外線受光部９が接続される。
【００１５】
電源ユニット３はＣＰＵ２を介して各部に電源を供給する。チューナ４はＨＤＤレコー
ダ１に接続されるアンテナ（不図示）を介して受信した放送電波を分波し、音声信号及び
ビデオ信号を出力する。デコーダ５は音声信号及びビデオ信号をデジタル信号に変換する
。ＭＰＥＧコーデック部７はデジタル信号をＭＰＥＧ規格のデータに圧縮する。ＨＤＤ６
はデジタルデータを記憶する。
【００１６】
フロントパネル８はＨＤＤレコーダ１の前面に設けられ、使用者の操作を行うとともに
動作状態を表示する。赤外線受光部９はリモートコントローラ（不図示）の操作信号を受
信する。また、ＨＤＤレコーダ１の動作プログラムの格納やＣＰＵ２による演算結果の一
時記憶を行うメモリ（不図示）が設けられている。
【００１７】
フロントパネル８またはリモートコントローラの操作により録画を開始すると、アンテ
ナで受信したテレビ放送電波がチューナ４により分波され、音声信号及びビデオ信号が出
力される。音声信号及びビデオ信号はデコーダ５によりデジタル信号に変換され、ＭＰＥ
Ｇコーデック部７でＭＰＥＧ規格のデータに圧縮してＨＤＤ６に記録される。これにより
、番組の録画が行われる。
【００１８】
フロントパネル８またはリモートコントローラの操作により再生を開始すると、ＨＤＤ
６から録画した圧縮データが取り出される。取り出した圧縮データはＭＰＥＧコーデック
部７で展開され、エンコード部（不図示）で音声信号及びビデオ信号に変換して出力され
る。これにより、録画された番組を視聴することができる。
【００１９】
また、ＨＤＤレコーダー１はフロントパネル８またはリモートコントローラの操作によ
って予め番組を指定することにより予約録画することができる。図２は予約録画の設定画
面を示している。ＨＤＤレコーダー１は複数の録画予約が可能になっており、録画予約さ
れる各番組は曜日または日付、開始時刻、終了時刻、チャンネルを指定することにより特
定される。例えば、同図に示す予約番号１の番組は７月２２日月曜日の１６：００から１
７：００まで４チャンネルで放送される。
【００２０】
また、録画予約する際には毎日録画及び毎週録画を選択することができる。毎日録画は
日曜日から土曜日まで若しくは月曜日から金曜日まで毎日同じ時間帯の番組を連続して録
画することができる。毎週録画は毎週同じ曜日で同じ時間帯の番組を連続して録画するこ
とができる。同図の予約番号２〜４は毎日録画の場合の設定内容の例を示しており、予約
番号５は毎週録画の場合の設定内容の例を示している。
【００２１】
毎日録画及び毎週録画の場合には録画モードを選択することができる。毎日録画の録画
モードは新規モード（第１モード）、上書きモード（第２モード）、１週保存モード（第
３モード）から選択できる。毎週録画の録画モードは新規モード（第１モード）、上書き
モード（第２モード）、１月保存モード（第３モード）から選択できる。
【００２２】
新規モードは、毎日または毎週放送される各番組をそれぞれＨＤＤ６の新規領域に録画
する。尚、録画された番組を使用者が消去して空いた領域は新規領域として録画される。
上書きモードは、毎日または毎週放送される各番組を前回録画した領域に録画する。通常
は前日または１週前に録画された領域に上書きされるが、予約録画の待機状態に設定する
のを使用者が忘れた場合等には、前日または１週前よりも以前に録画した領域に上書きさ
れる。これにより、ＨＤＤ６は常時１番組分の領域が使用される。
【００２３】
１週保存モードは、最初の１週間は毎日放送される各番組がＨＤＤ６の新規領域に録画
され、その後１週前の録画領域に上書きして録画される。１月保存モードは、最初の１月
は毎週放送される各番組がＨＤＤ６の新規領域に録画され、その後１月前の録画領域に上
書きして録画される。ＨＤＤレコーダー１を予約録画の待機状態に設定するのを使用者が
忘れた場合等には、１週間または１月よりも以前に録画した領域に上書きされる。毎日録
画時に１月保存モードを設けてもよい。尚、日付を指定して不定期の番組を録画予約した
場合は新規モードに自動的に設定されるようになっている。
【００２４】
図３はＨＤＤレコーダー１の予約録画の動作を示すフローチャートである。フロントパ
ネル８またはリモートコントローラの操作によって予約録画に設定すると、ステップ＃１
１で録画予約された番組の開始時刻になるまで待機する。録画予約された番組の開始時刻
になるとステップ＃１２で該番組の予約設定が毎日録画か否かが判断される。毎日録画の
場合はステップ＃１５に移行し、毎日録画でない場合はステップ＃１３に移行する。
【００２５】
ステップ＃１３では該番組の予約設定が毎週録画か否かが判断される。毎週録画の場合
はステップ＃１５に移行し、毎週録画でない場合は不定期の番組であるためステップ＃１
４に移行する。ステップ＃１４ではＨＤＤ６の新規領域に録画が開始される。ステップ＃
２０では終了時刻になるまで録画を継続し、終了時刻になるとステップ＃２１に移行して
録画を終了する。そして、ステップ＃１１に戻って次の予約録画を待機する。
【００２６】
毎日録画または毎週録画の場合はステップ＃１２、＃１３の判断によりステップ＃１５
に移行して録画モードが新規モードか否かが判断される。新規モードの場合はステップ＃
１４に移行して上記と同様にＨＤＤ６の新規領域に録画が行われる。録画モードが新規モ
ードでない場合はステップ＃１６で上書きモードか否かが判断される。上書きモードの場
合はステップ＃１９に移行して前日以前または１週以前に録画した領域に上書きして録画
が開始される。そして、ステップ＃２０に移行する。
【００２７】
録画モードが上書きモードでない場合は１週保存モードまたは１月保存モードのためス
テップ＃１７に移行する。ステップ＃１７では番組を溜めて保存する一定期間（１週間ま
たは１月）以上前に該番組を録画しているか否かが判断される。該一定期間以上前に同番
組を録画した領域がない場合はステップ＃１４に移行して、新規モードと同様にＨＤＤ６
の新規領域に録画される。
【００２８】
該一定期間以上前に同番組を録画している場合はステップ＃１８に移行する。ステップ
＃１８では該一定期間以上前に録画した領域に上書きして録画が開始される。そして、ス
テップ＃２０に移行する。
【００２９】
本実施形態によると、毎日録画や毎週録画を設定して予約録画する際に使用者が新規モ
ードを選択することにより各番組を新規領域に保存できるので、視聴していない番組の消
去を防止できる。また、使用者が１週保存モードまたは１月保存モードを選択することに
より１週や１月等の一定期間だけ番組を溜めておける。このため、該一定期間内に視聴す
ることにより番組が誤って消去されることを防止できるとともに、番組を一定期間溜める
だけであるので記録媒体の容量不足による録画ミスを防止することができる。加えて、複
数の使用者が同じ番組を視聴したい場合に１人が再生しても一定期間は上書きされない。
従って、ＨＤＤレコーダー１の利便性を向上させることができる。
【００３０】
本実施形態において、定期的に時間帯の同じ番組を予約録画する定期録画が、毎日録画
及び毎週録画の場合のＨＤＤレコーダー１について説明しているが、隔週や毎月等の定期
的に同じ時間帯の番組を予約できる場合も同様の効果を得ることができる。また、番組を
溜めて保存する期間が１週間の１週間保存モード及び１月の１月保存モードを有している
が、この期間を２週間や３月等の他の期間にしてもよい。加えて、番組を溜めて保存する
期間を使用者が設定できるようにすると、使用者に適した期間の番組を溜めておけるので
ＨＤＤレコーダー１の利便性をより向上させることができる。
【００３１】
尚、ＨＤＤ６に録画するＨＤＤレコーダー１について説明しているが、ランダムアクセ
スが可能なＤＶＤ等の他の記録媒体に番組を録画する記録再生装置でもよい。
【産業上の利用可能性】
【００３２】
本発明によると、ＨＤＤ、ＤＶＤ等の記録媒体に番組を録画する記録再生装置に利用す
ることができる。
【図面の簡単な説明】
【００３３】
【図１】本発明の実施形態のＨＤＤレコーダーの構成を示すブロック図
【図２】本発明の実施形態のＨＤＤレコーダーの予約録画の設定画面を示す図
【図３】本発明の実施形態のＨＤＤレコーダーの予約録画の動作を示すフローチャート
【符号の説明】
【００３４】
１    ＨＤＤレコーダ
２    ＣＰＵ
３    電源ユニット
４    チューナ
５    デコーダ
６    ＨＤＤ
７    ＭＰＥＧコーデック部
８    フロントパネル
９    赤外線受光部
【図１】
2006216119.tif 000003
【図２】
2006216119.tif 000004
【図３】
2006216119.tif 000005